(57)【要約】【課題】本発明は、データ収集処理装置及びその方法に関するものである。【解決手段】本発明は、一つのデータ収集処理装置に適用されるデータ収集処理方法を提供する。データ収集処理装置は、一つのデータソースインターフェイス、一つのデータ処理モジュール、一つのデータ識別モジュール及び一つのデータグループ分けエリアを備える。データ収集処理装置は次のステップを含む。データソースインターフェイスを一つのデータソースに接続し、データソースは一つの原始データ及び一つの特徴コンテンツを含む。データソースインターフェイスはデータソースの特徴コンテンツを所得し、データインターフェイスは特徴コンテンツに基づいて一つのデータタグを生成する。データソースインターフェイスはデータソースの原始データを収集し、並びにデータタグを原始データに加えて一つのラベルデータを形成する。データ識別モジュールはラベルデータが受信許可データであるかどうかを判断する。【選択図】図４
2019128945.tif 000002
【特許請求の範囲】
【請求項１】
データを一つのデータソースから収集し、並びに処理するのに用いられ、前記データソースは一つの原始データを含み、一つのデータソースインターフェイス、一つのデータ処理モジュール及び一つのデータグループ分けエリアを備え、
前記データソースインターフェイスは、前記データソースに接続され、一つのデータタグを生成するのに用いられ、並びに前記データタグを前記データソースが収集した原始データ中に加えて一つのラベルデータを生成し、
前記データ処理モジュールは、前記データソースインターフェイスに接続され、前記ラベルデータをグループ分けして、一つのグループ分けされたデータを形成し、
前記データグループ分けエリアは、前記グループ分けされたデータを保存するのに用いられることを特徴とするデータ収集処理装置。
【請求項２】
前記ラベルデータが受信許容データであるかどうかを識別するのに用いられる一つのデータ識別モジュールをさらに備えることを特徴とする請求項１に記載のデータ収集処理装置。
【請求項３】
前記データ識別モジュールが識別した非受信許容データを保存するのに用いられる非データ受信許可エリアをさらに含むことを特徴とする請求項２に記載のデータ収集処理装置。
【請求項４】
前記データソースはさらに一つの特徴コンテンツを備え、前記データソースインターフェイスは、前記特徴コンテンツに基づいて前記データタグを生成することを特徴とする請求項１に記載のデータ収集処理装置。
【請求項５】
前記データ収集処理装置に適用されるデータ収集処理方法であって、前記データ収集処理装置は、さらに一つのデータソースインターフェイス、一つのデータ処理モジュール、一つのデータ識別モジュール及び一つのデータグループ分けエリアを備え、
前記データソースインターフェイスは、一つのデータソースに接続され、前記データソースは、一つの原始データ及び一つの特徴コンテンツを備えるステップと、
前記データソースインターフェイスが、前記データソースの特徴コンテンツを取得するステップと、
前記データソースインターフェイスが、前記特徴コンテンツに基づいて一つのデータタグを生成するステップと、
前記データソースインターフェイスが、前記データソースの原始データを収集し、並びに前記データタグを前記原始データに加えて一つのラベルデータを形成するステップと、
前記データ識別モジュールが、前記ラベルデータが受信許容データであるかどうかを判断するステップと、
前記ラベルデータが受信許容データである場合、前記データ処理モジュールが、前記ラベルデータをグループ分けして、一つのグループ分けされたデータを形成するステップと、
前記グループ分けされたデータを前記データグループ分けエリアに保存するステップとを含むことを特徴とするデータ収集処理方法。
【請求項６】
前記データ収集処理装置は、さらに一つの非データ受信許可エリアを備え、
前記ラベルデータが非受信許容データの場合、前記データ識別モジュールが、前記ラベルデータを前記非データ受信許可エリアに送信するステップを含むことを特徴とする請求項５に記載のデータ収集処理方法。
【請求項７】
前記データソースインターフェイスが前記データソースの特徴コンテンツを取得するステップはさらに、
前記データソースインターフェイスが前記特徴コンテンツは有効であるかどうかを判断するステップを含むことを特徴とする請求項５に記載のデータ収集処理方法。
【請求項８】
一つのデータ収集処理装置に適用されるデータ収集処理方法であって、前記データ収集処理装置は、一つのデータソースインターフェイス、一つのデータ処理モジュール、一つのデータ識別モジュール及び一つのデータグループ分けエリアを備え、
前記データソースインターフェイスは一つのデータソースに接続され、前記データソースは一つの原始データを備えるステップと、
前記データソースインターフェイスが、前記データソースに対して一つの対応する特徴コンテンツを生成するステップと、
前記データソースインターフェイスが、前記特徴コンテンツを一つのデータタグに設定するステップと、
前記データソースインターフェイスが、前記データソースの原始データを収集し、並びに前記データタグを前記原始データに加えて一つのラベルデータを形成するステップと、
前記データ識別モジュールが、前記ラベルデータが受信許容データであるかどうかを判断するステップと、
前記ラベルデータが受信許容データである場合、前記データ処理モジュールが、前記ラベルデータをグループ分けして、一つのグループ分けされたデータを形成するステップと、
前記グループ分けされたデータを前記データグループ分けエリアに保存するステップとを含むことを特徴とするデータ収集処理方法。
【請求項９】
前記データ収集処理装置はさらに一つの非データ受信許可エリアを備え、
前記ラベルデータが非受信許容データの場合、前記データ識別モジュールが、前記ラベルデータを前記非データ受信許可エリアまで送信するステップを含むことを特徴とする請求項８に記載のデータ収集処理方法。
【発明の詳細な説明】
【技術分野】
【０００１】
本発明は、データ収集処理装置及びその方法に関し、特に、データソースの原始データにタグを加えて後続のデータ処理を便利にするデータ収集処理装置及びその方法に関するものである。
【背景技術】
【０００２】
ＩＯＴとインターネットの発展により、デジタルデータの数も大きく増加している。一般のデジタルデータのソースは、異なる装置または異なるソフトウェアから来る。データ収集の過程において、デジタルデータのソースを識別できない場合、後続のデータ処理に影響する。従来の一般のデータ収集方法は、後続の処理の際に原始データのソースがわかるよう、データソース自身の原始データ中にデータタグを加える。しかしながら、データを生成するデータソースが多いと、常時識別可能なデータタグが不足する。
【０００３】
したがって、上記問題を解決するために、データ収集処理方法が必要である。
【発明の概要】
【発明が解決しようとする課題】
【０００４】
以上の問題点に鑑みて、本発明は、異なるデータソースから来る原始データを収集及び処理するためのデータ収集処理装置及びその方法を提供することを目的とする。
【課題を解決するための手段】
【０００５】
本発明のデータ収集処理装置及びその方法は、データソース中の特徴コンテンツ（例えば、ＲｅｇｉｓｔｅｒＩＤ等一意の宣言された数値または文字列）を利用してデータタグとし、並びにデータタグを収集された原始データに加えてタグを有するデータを形成し、後続のグループ分けを行って保存する。または、本発明のデータ収集処理装置及びその方法は、異なるデータソースに対して自発的に識別可能なデータタグ（例えば、モジュール番号）を提供し、設定されたデータタグを収集された原始データ中に加える。同時に、本発明のデータ収集処理装置及びその方法は、データ収集期間において同時に特徴コンテンツの有効性を持続して検査し、最新の特徴コンテンツに基づいて収集することを確保する。この方法により、本発明のデータ収集処理装置及びその方法は、効果的に取得したデータソースを識別し、後続のデータ処理を便利にする。また、本発明のデータ収集処理装置及びその方法は、データタグを利用してデータをソートし、送信インターフェイス上で速度または生成時間が異なることにより引き起こされる、断片化して連続していないという問題を解決し、後続のデータを出力、保存するステップを便利にする。
【０００６】
上記の目的を達成するために、一つのデータソースからのデータを収集し並びに処理するのに用いられるデータ収集処理装置を提供する。データソースは、一つの原始データを含む。データ収集処理装置は、一つのデータソースインターフェイス、一つのデータ処理モジュール及び一つのデータグループ分けエリアを備える。データソースインターフェイスはデータソースに接続され、一つのデータタグを生成するのに用いられ、並びにデータタグをデータソースで収集された原始データに加えて一つのラベルデータを生成する。データ処理モジュールはデータソースインターフェイスに接続され、ラベルデータをグループ分けして、一つのグループ分けされたデータを形成する。データグループ分けエリアはグループ分けされたデータを保存する。
【０００７】
上記の目的を達成するために、本発明は、一つのデータ処理装置に適用されるデータ収集処理方法を提供する。データ収集処理方法は、一つのデータソースインターフェイス、一つのデータ処理モジュール、一つのデータ識別モジュール及び一つのデータグループ分けエリアを備える。データ収集処理方法は次のステップを含む。データソースインターフェイスを一つのデータソースに接続し、データソースは一つの原始データ及び一つの特徴コンテンツを備える。データソースインターフェイスはデータソースの特徴コンテンツを取得し、データソースインターフェイスは、特徴コンテンツに基づいて一つのデータタグを生成する。データソースインターフェイスはデータソースの原始データを収集し、並びにデータタグを原始データに加えて一つのラベルデータを形成する。データ識別モジュールはラベルデータが受信許可データであるかどうかを判断する。ラベルデータが受信許可データである場合、データ処理モジュールはラベルデータをグループ分けして、一つのグループ分けされたデータを形成する。グループ分けされたデータをデータグループ分けエリアに保存する。
【０００８】
上記の目的を達成するために、本発明は、一つのデータ収集処理装置に適用されるデータ収集処理方法を提供する。データ収集処理装置は、一つのデータソースインターフェイス、一つのデータ処理モジュール、一つのデータ識別モジュール及び一つのデータグループ分けエリアを備える。データ収集処理装置は次のステップを含む。データソースインターフェイスを一つのデータソースに接続し、データソースは一つの原始データを含む。データソースインターフェイスはデータソースに対して一つの対応する特徴コンテンツを生成する。データソースインターフェイスは特徴コンテンツを一つのデータタグに設定する。データソースインターフェイスはデータソースの原始データを収集し、並びにデータタグを原始データに加えて一つのラベルデータを形成する。データ識別モジュールはラベルデータが受信許可データであるかどうかを判断する。ラベルデータが受信許可データである場合、データ処理モジュールはラベルデータをグループ分けして一つのグループ分けされたデータを形成する。グループ分けされたデータをデータグループ分けエリアに保存する。
【発明の効果】
【０００９】
以上のことから、本発明のデータ収集処理装置及びその方法はデータソース中の特徴コンテンツ（例えば、ＲｅｇｉｓｔｅｒＩＤ等一意の宣言された数値または文字列）を利用してデータタグとし、並びにデータタグを収集された原始データに加えてタグを有するデータを形成し、後続のグループ分けを行って保存する。または、本発明のデータ収集処理装置及びその方法は、異なるデータソースに対して自発的に識別可能なデータタグ（例えば、モジュール番号）を提供し、設定されたデータタグを収集された原始データ中に加える。同時に、本発明のデータ収集処理装置及びその方法は、データ収集期間において同時に特徴コンテンツの有効性を持続して検査し、最新の特徴コンテンツに基づいて収集することを確保する。この方法により、本発明のデータ収集処理装置及びその方法は、効果的に取得したデータソースを識別し、後続のデータ処理を便利にする。また、本発明のデータ収集処理装置及びその方法は、データタグを利用してデータをソートし、送信インターフェイス上で速度または生成時間が異なることにより引き起こされる、断片化して連続していないという問題を解決し、後続のその他のデータを出力、保存するステップを便利にする。
【図面の簡単な説明】
【００１０】
【図１】図１は本発明のデータ収集処理装置のハードウェアの構造を示すブロック図である。
【図２】図２は本発明のデータ収集処理装置の機能のモジュールのブロック図である。
【図３】図３は本発明のデータ収集処理装置のデータ収集処理を示す図である。
【図４】図４は本発明の第一実施例のデータ収集処理方法のフローチャートである。
【図５】図５は本発明の第二実施例のデータ収集処理方法のフローチャートである。
【図６】図６は本発明の第三実施例のデータ収集処理方法のフローチャートである。
【発明を実施するための形態】
【００１１】
以下、図面を参照しながら、本発明の実施形態に係るデータ収集処理方法及びその方法を説明する。同じエレメントについては同じ符号を用いて説明する。
【００１２】
図１は、本発明のデータ収集処理装置のハードウェアの構造を示すブロック図である。図１に示すように、本発明のデータ収集処理装置１００は、一つのプロセッサ１１０、一つのメモリ１２０、入出力インターフェイス１３０及び通信モジュール１４０を備える。プロセッサ１００はデータを処理するのに用いられ、並びにメモリ１２０、入出力インターフェイス１３０及び通信モジュール１４０を制御する。メモリ１２０はデータを保存するのに用いられる。入出力インターフェイス１３０は、操作を行うインターフェイスを使用者に提供する。通信モジュール１４０は、一つの外部装置（例えば、一つのデータソース）に接続され、データを受信または送信する。本発明のデータ収集処理装置１００は一般のコンピュータ装置または一つのサーバであってもよく、特定のソフトウェアまたはハードウェアに限定されない。本発明のデータ収集処理装置１００は、一つのデータソースからのデータの収集並びにデータの処理に用いられると共に、処理された後のデータを出力または保存して、後続の処理のステップを有利にする。
【００１３】
図２及び図３を参照すると、図２は発明のデータ収集処理装置の機能モジュールのブロック図である。図３は本発明のデータ収集処理装置１００のデータ収集処理を示す図である。図２と図３に示すように、本発明のデータ収集処理装置１００は、データソース２００からのデータを収集し、並びに処理するのに用いられる。データソース２００は、一つの原始データ２１０を備える。データ収集処理装置１００は、一つのデータソースインターフェイス１５０、一つのデータ処理モジュール１７０及び一つのデータグループ分けエリア１８０を備える。データソースインターフェイス１５０はデータソース２００に接続されて一つのデータタグを生成し、並びに前記データタグをデータソース２００から収集された原始データ２１０に加えて、ラベルデータを生成する。データ処理モジュール１７０はデータソースインターフェイス１５０に接続されて、前記ラベルデータをグループ分けして一つのグループ分けされたデータを形成する。データグループ分けエリア１８０は前記グループ分けされたデータを保存するのに用いられる。データ収集処理装置１００はさらに一つのデータ識別モジュール１６０と一つの非データ受信許可エリア１９０を備える。データ識別モジュール１６０は、前記ラベルデータが許可されたデータであるかどうかを識別するのに用いられる。非データ受信許可エリア１９０は、データ識別モジュール１６０が識別した非受信許可されたデータを保存する。データソース２００はさらに一つの特徴コンテンツ２２０を備える。データソースインターフェイス１５０は特徴コンテンツ２２０に基づいて、前記データタグを生成する。図１を参照すると、データソースインターフェイス１５０、データ識別モジュール１６０、及びデータ処理モジュール１７０は前記プロセッサ１１０中に含まれる。データソースインターフェイス１５０は通信モジュール１４０を介してデータソース２００に接続される。データグループ分けエリア１８０と非データ受信許可エリア１９０はメモリ１２０中に含まれる。
【００１４】
データソース２００に接続される場合、データソースインターフェイス１５０は、先ずデータ収集規則を定義し、収集されたデータが必ず識別可能な前記データを含むように設定する。前記データタグは、ソース識別タグ、収集されるモジュール番号、収集されるアクション番号、収集されるアクション及び収集されるアクションの追加説明を含む。前記データタグのソース識別タグは特徴コンテンツ２２０から来てもよい。この特徴コンテンツ２２０は、一つの識別可能なデータソースであり、且つ同じネットワーク内ではないその他のソースの重複する数値または文字列、例えば、一つの登録ＩＤ（Ｒｅｇｉｓｔｅｒ  ＩＤ）、一つの認証キー（Ａｕｔｈｏｒｉｚｅｓ  Ｋｅｙ）、または一つのＭＡＣアドレス（ＭＡＣ  Ａｄｄｒｅｓｓ）である。収集されるモジュール番号の機能は、データ収集作業に加えられたモジュール名を表示し、明確に原始データ２１０がデータソース２００のどのタイプのモジュールにおいて生成されたのかを記録することができる。前記モジュール番号は、例えば、ＭＯＤ＿０１、ＭＯＤ＿２２、または、その他の前記モジュールを表すことができる固有の番号を用いることができる。収集されるアクション番号の機能は、データ収集作業に加えられたアクション名を表示し、明確に原始データ２１０がデータソース２００のどのタイプの処理により生成されたのかを記録することができる。前記アクション番号は、例えば、ＦＵＮＣ＿０１、ＦＵＮＣ＿０２、または、その他の前記アクションを表すことができる固有の番号を用いることができる。前記収集されるアクションの追加説明の機能は、前記アクションの実際のコンテンツと選択的な機能等の情報を説明し、データの可読性を強化することができる。前記データタグは、以上の情報以外に、さらに各識別データを展開して定義することができる属性の情報を含む。この属性の情報は、後続においてさらに明確なデータのフィードバックを行うことができるように、使用者の要求に基づいて送信することができる。前記データタグは、データ収集処理装置１００が後続で自発的にデータを収集する際に目標データを選択する際の重要な根拠とすることができる。同時に、データ識別モジュール１６０も前記データタグに基づいて前記原始データを受信許可するかどうかを決定し、並びにデータフォーマットの正確性を判断することができる。また、データ処理モジュール１７０はさらに、前記データタグを利用してデータのグループ分けを行うことができる。
【００１５】
図４は、本発明の第一実施例のデータ収集処理方法のフローチャートである。本発明の第一実施例のデータ収集処理方法Ｓ３００は、一つのデータ収集処理装置に適用される。このデータ収集処理装置は、図２、３に示すデータ収集処理装置１００を参考にすることができる。データ収集処理装置１００は、一つのデータソースインターフェイス１５０、一つのデータ処理モジュール１７０、一つのデータ識別モジュール１６０、一つのデータグループ分けエリア１８０及び非データ受信許可エリア１９０を備える。本発明の第一実施例のデータ収集処理方法Ｓ３００はステップＳ３０１〜Ｓ３０８を含む。ステップＳ３０１において、データソースインターフェイス１５０をデータソース２００に接続する。データソース２００は、一つの原始データ２１０と一つの特徴コンテンツ２２０を備える。ステップＳ３０２において、データソースインターフェイス１５０は、データソース２００の特徴コンテンツを取得する。ステップＳ３０３において、データソースインターフェイス１５０は、前記特徴コンテンツに基づいて一つのデータタグを生成する。ステップＳ３０４において、データソースインターフェイス１５０は、データソース２００の原始データを収集し、並びに前記データタグを原始データ２１０に加えて、一つのラベルデータを形成する。前記特徴コンテンツは、例えば、一つのＭＡＣアドレス（ＭＡＣ  Ａｄｄｒｅｓｓ）、一つの登録ＩＤ（Ｒｅｇｉｓｔｅｒ  ＩＤ）または一つの認証キー（Ａｕｔｈｏｒｉｚｅｓ  Ｋｅｙ）である。データソースインターフェイス１５０は、直接前記特徴コンテンツを前記データタグとして採用することができる。並びに、データソースインターフェイス１５０はデータソース２００の原始データ２１０を収集する際に、同時に前記データタグを原始データ２１０中に加えて、後続のデータ処理と分類を便利にするために、収集されたデータに、ソースが標示されている等の関連するデータのラベルデータを形成させる。同時に、後続のデータ収集の過程において、データソースインターフェイス１５０がデータソース２００の下層で動作する際、データソースインターフェイス１５０は前記データタグを持つ原始データ２１０をインターセプトすることができる。また、データタグを使用してデータを収集する根拠とし、データソースインターフェイス１５０はデータ収集のステップを主導し、使用者は、特別に収集するデータソースに対して新たに実行する規則を設計する必要はなく、持続的に必要なデータを収集することができる。データソース１５０は記録の方法によってバックグラウンドにおいてデータラベルの作業を行う。ステップＳ３０５において、データ識別モジュール１６０は、ラベルデータが受信許容データであるかどうかを判断する。データ識別モジュール１６０は、一つの所定のデータ規則に基づいて、収集されたデータに対して検査し、受信許容データであるかどうかを確認して、不必要なデータの流入を低減させるか、または、大量のデータを受け取ることにより後続でその他の方法によりフィルターして、装置の負担が増えるのを低減させる。ステップＳ３０５で受信許容データであると判断した場合、ステップＳ３０６に進む。ステップＳ３０６において、前記ラベルデータが受信許容データである場合、データ処理モジュール１７０は前記ラベルデータをグループ分けして、一つのグループ分けされたデータを形成する。データ処理モジュール１７０は、前記ラベルデータを一つの独立したイベントに変換する。前記ラベルデータ中のデータタグからデータソースを識別できる。異なるソフトウェア、装置から収集されたイベントは、異なるデータタグを備えてもよい。前記データタグを利用して、前記ラベルデータはグループ分けされると共に、同時に複数の異なるデータソースを収集する際に、直接グループ分けする。グループ分けされたデータは、その流入時間を再利用して記録し、各単一のイベントは、イベントの詳細とシーケンスを完全に表示する関連性を生成することができる。データ処理モジュール１７０はパッケージ展開機能を備え、特殊な属性を持たなければならないデータに対してデータをパッケージする際に、カスタマイズ化された属性をイベントに加えて、データの可用性と関連性を増加することができる。ステップＳ３０７において、前記グループ分けされたデータをデータグループ分けエリア１８０に保存する。ステップＳ３０５において、受信許容データではないと判断した場合、ステップＳ３０８に進む。ステップＳ３０８において、前記ラベルデータが非受信許容データである場合、データ識別モジュール１６０は前記ラベルデータを非データ受信許可エリア１９０に送信する。非データ受信許可エリア１９０中のデータは、定期的にクリアにされる。
【００１６】
この方法により、本発明のデータ収集処理方法は、データが異なる装置、異なる時間、異なる実行動作から来ることにより発生するデータの断片化、容易にデータの関連性及び順序等の問題を直接判読できない、という問題を解決できる。本発明のデータ収集処理方法は、多層式の構造設計に適用でき、収集規模を拡大してさらに多くの実体装置をサポートできる。また、本発明のデータ収集処理方法は、クラスターの概念により各イベントを処理し、複数のイベントを組み合わせて関連性を生成し、並びに連続性を保持し、複数のイベントを再度組み合わせて、異なる装置と異なる時間で生成される異なるイベントを説明する。したがって、本発明のデータ収集処理方法は、後続のその他のデータ処理のステップをイベントの記録に基づいて完全にイベント発生過程を復元し、データの可読性を向上できる。また、その他の処理ステップを必要としない。
【００１７】
図５は、本発明の第二実施例のデータ収集処理方法のフローチャートである。本発明の第二実施例のデータ収集処理方法Ｓ４００は、一つのデータ収集処理装置に適用される。前記データ処理装置は、図２、３に示すデータ収集処理装置１００を参考にすることができる。データ収集処理装置１００は、一つのデータソースインターフェイス１５０、一つのデータ処理モジュール１７０、一つのデータ識別モジュール１６０、一つのデータグループ分けエリア１８０及び非データ受信許可エリア１９０を備える。本発明の第二実施例のデータ収集処理方法Ｓ４００は、ステップＳ４０１〜Ｓ４０９を備える。ステップＳ４０１において、データソースインターフェイス１０５をデータソース２００に接続する。データソース２００は一つの原始データ２１０と一つの特徴コンテンツ２２０を備える。ステップＳ４０２において、データソースインターフェイス１５０は、データソース２００の特徴コンテンツ２２０を取得する。ステップＳ４０３において、データソースインターフェイス１５０はこの特徴コンテンツ２２０が有効かどうかを判断する。ステップＳ４０３において、有効でないと判断した場合、ステップＳ４０２に戻る。ステップＳ４０３において有効であると判断した場合、ステップＳ４０４に進む。ステップＳ４０４において、データソースインターフェイス１５０は特徴コンテンツ２２０に基づいて一つのデータタグを生成する。ステップＳ４０５において、データソースインターフェイス１５０はデータソース２００の原始データを収集し、並びに、前記データタグを原始データ２１０に加えて一つのラベルデータを形成する。ステップＳ４０６において、データ識別モジュール１６０は前記ラベルデータが受信許容データであるかどうかを判断する。ステップＳ４０６において受信許容データであると判断した場合、ステップＳ４０７に進む。ステップＳ４０７において、ラベルデータが受信許容データである場合、データ処理モジュール１７０は前記ラベルデータをグループ分けして、一つのグループ分けされたデータを形成する。ステップＳ４０８において、前記グループ分けされたデータをデータグループ分けエリア１８０に保存する。ステップＳ４０６において受信許容データではないと判断した場合、ステップＳ４０９に進む。ステップＳ４０９において、前記ラベルデータが非受信許容データである場合、データ識別モジュール１６０は前記ラベルデータを非データ受信許可エリア１９０に送信する。本発明の第二実施例のデータ収集処理方法Ｓ４００の詳細な説明は、前記第一実施例のデータ収集処理方法Ｓ３００を参考にできるため、ここでの説明は省略する。前記第一実施例のデータ収集処理方法で説明されているステップ以外に、第二実施例のデータ収集処理方法Ｓ４００は、例えば、前記特徴コンテンツ（即ち、収集規則）の効果的な検査を追加し、並びに最新の特徴コンテンツに基づいて学習する。
【００１８】
図６は、本発明の第三実施例のデータ収集処理方法のフローチャートである。本発明の第三実施例のデータ収集処理方法Ｓ５００は一つのデータ収集処理装置に適用される。前記データ収集処理装置は図２、図３に示すデータ収集処理装置１００を参考にすることができる。データ収集処理装置１００は、一つのデータソースインターフェイス１５０、一つのデータ処理モジュール１７０、一つのデータ識別モジュール１６０、一つのデータグループ分けエリア１８０及び非データ受信許可エリア１９０を備える。本発明の第三実施例のデータ収集処理方法Ｓ５００は、ステップＳ５０１〜Ｓ５０８を備える。ステップＳ５０１において、データソース１５０をデータソース２００に接続する。データソース２００は一つの原始データ２１０を備える。ステップＳ５０２において、データソースインターフェイス１５０は、前記データソースに対して一つの対応する特徴コンテンツを生成する。ステップＳ５０３において、データソースインターフェイス１５０は、前記特徴コンテンツを一つのデータタグに設定する。ステップＳ５０４において、データソースインターフェイス１５０は、データソース２００の原始データを収集し、並びに前記データタグを原始データ２１０に加えて一つのラベルデータを形成する。ステップＳ５０５において、データ識別モジュール１６０はラベルデータが受信許容データであるかどうかを判断する。ステップＳ５０５において、受信許容データであると判断した場合、ステップＳ５０６に進む。ステップＳ５０６において、前記ラベルデータが受信許容データである場合、データ処理モジュール１７０は前記ラベルデータをグループ分けして、一つのグループ分けされたデータを形成する。ステップＳ５０７において、前記グループ分けされたデータをデータグループ分けエリア１８０に保存する。ステップＳ５０５において、受信許容データではないと判断した場合、ステップＳ５０８に進む。ステップＳ５０８において、前記ラベルデータが非受信許容データである場合、データ識別モジュール１６０は前記ラベルデータを非データ受信許可エリア１９０に送信する。本発明の第三実施例のデータ収集処理方法のステップＳ５００が前記第一実施例のデータ収集処理方法のステップＳ３００と異なる部分は、第三実施例のデータ収集処理方法において、前記データタグとされた特徴コンテンツは、データソースインターフェイス１５０が自発的に生成したものであり、データソース２００から来たものではない。本発明の第三実施例のデータ収集処理方法のステップＳ５００の他のステップの詳細な説明は、前記第一実施例のデータ収集処理方法のステップＳ３００を参考にできるため、ここでの説明は省略する。
【００１９】
以上のことから、本発明のデータ収集処理装置及びその方法はデータソース中の特徴コンテンツ（例えば、ＲｅｇｉｓｔｅｒＩＤ等一意の宣言された数値または文字列）を利用してデータタグとし、並びにデータタグを収集された原始データに加えてタグを有するデータを形成し、後続のグループ分けを行って保存する。または、本発明のデータ収集処理装置及びその方法は、異なるデータソースに対して自発的に識別可能なデータタグ（例えば、モジュール番号）を提供し、設定されたデータタグを収集された原始データ中に加える。同時に、本発明のデータ収集処理装置及びその方法は、データ収集期間において同時に特徴コンテンツの有効性を持続して検査し、最新の特徴コンテンツに基づいて収集することを確保する。この方法により、本発明のデータ収集処理装置及びその方法は、効果的に取得したデータソースを識別し、後続のデータ処理を便利にする。また、本発明のデータ収集処理装置及びその方法は、データタグを利用してデータをソートし、送信インターフェイス上で速度または生成時間が異なることにより引き起こされる、断片化して連続していないという問題を解決し、後続のその他のデータを出力、保存するステップを便利にする。
【００２０】
以上の記載は単なる例にすぎず、限定するものではない。本発明の如何なる精神及び範囲を逸脱してはならず、補正または変更を行う際は、後に記載する特許請求の範囲内でなければならない。
【符号の説明】
【００２１】
１００  データ収集処理装置
１１０  プロセッサ
１２０  メモリ
１３０  入出力インターフェイス
１４０  通信モジュール
１５０  データソースインターフェイス
１６０  データ識別モジュール
１７０  データ処理モジュール
１８０  データグループ分けエリア
１９０  非データ受信許可エリア
２００  データソース
２１０  原データ
２２０  特徴コンテンツ
【図１】
2019128945.tif 000003
【図２】
2019128945.tif 000004
【図３】
2019128945.tif 000005
【図４】
2019128945.tif 000006
【図５】
2019128945.tif 000007
【図６】
2019128945.tif 000008